(57)【要約】【課題】  予め帯飾りを形成した状態で保持して、運搬することが可能であり、極めて容易に帯を着衣者の胴回りに締めることができる帯の着付け補助具１を提供する。【解決手段】  帯の着付け補助具１は、帯６のたれ６１と手６２との境界部分を直角方向に曲げ、且つ、前記たれ６１を用いて形成される帯結びを係止し、更に、前記手の手先６３部分を固定する扁平板２と、該扁平板２の両側に固定されて互いの先端が固着自在な一対のベルト３と、前記たれ６１と手６２との中間付近の折り返し位置に取付けられる帯止め具５と、該帯止め具５を係止する前記扁平板２又はベルト３に設けた固定具２６と、を具備する。【選択図】図１
2008156794.tif 000002
【特許請求の範囲】
【請求項１】
帯のたれと手との境界部分を直角方向に曲げ、且つ、前記たれを用いて形成される帯結びを係止し、更に、前記手の手先部分を固定する扁平板と、
該扁平板の両側に固定されて互いの先端が固着自在な一対のベルトと、
前記たれと手との中間付近の折り返し位置に取付けられる帯止め具と、
該帯止め具を係止する前記扁平板又はベルトに設けた固定具と、を具備することを特徴とする帯の着付け補助具。
【請求項２】
前記扁平板が、帯の手を挿通可能な通し穴と、該通し穴に挿通された手を前記帯のたれと手との境界部分で係止する係止具と、前記通し穴に挿通された手の手先部分を固定する手先固定具とを具備することを特徴とする請求項１に記載の帯の着付け補助具。
【請求項３】
前記扁平板に、前記帯結びを係止するための帯枕を着脱自在に設けたことを特徴とする請求項１又は請求項２に記載の帯の着付け補助具。
【請求項４】
前記係止具が、複数形成されることを特徴とする請求項２又は請求項３に記載の帯の着付け補助具。
【発明の詳細な説明】
【技術分野】
【０００１】
本発明は、着物の帯の着付けを簡単にすることができる帯の着付け補助具に関する。
【背景技術】
【０００２】
従来より、和服で帯を結ぶときには、例えば、幅３０ｃｍ程度で、長さが４ｍ前後の長い芯入りの帯を、着物を着た後、着衣者の胴部に巻き、背中において美しく帯を形作って和服の後姿を美しく着飾るようにする。詳しく説明すると、和服の帯は、着物を着た後、帯を胴体に巻き、更に例えば身体の背中部分にお太鼓を形成する場合には、帯山を形成するために、帯のお太鼓形成部分の内側に帯枕を位置させて、帯枕を背中の所定の位置に位置付けし、帯枕に設ける２本の結び紐で帯枕を胴体に括り付ける。そして、次にお太鼓を形成して、帯胴体に巻いた手先をお太鼓の内側に入れて、帯締めで帯を固定するものである。
【０００３】
しかし、このような帯の着付け作業は、帯の結び方が複雑なものが多く、着付けの初心者が一人で行うことは困難である。また、帯結びの部分は通常着衣者の背中部分に形成されることが多いので、着付けの初心者が一人で美しい形の各種の帯結びを鏡を見ながら形成することは非常に困難である。
【０００４】
そこで、近年では、着衣者の胴部に帯を締める前に、予め帯結びの形を整えておき、この帯結びの形を保持するための保持具が設けられた帯の着付け補助具が種々提案されている。例えば、中央にスリット状の開口部が形成された偏平板と、該偏平板の上部に装着されて表面側に膨出した帯枕と、前記開口部の左右に設けられた一対の帯留め開口部と、前記扁平基板を利用して身体上を巻き付けた着物帯の手先と結び目裏に位置する着物帯との双方に係合して前記着物帯の手先を前記結び目裏に位置する着物帯に位置決めする手先止め金具とを備えている着物帯用補助具が提案されている（例えば特許文献１）。
【０００５】
また、着用者の胴部に周回状に装着され、長手方向の中心線に沿って折り合わせ、一端を垂れ部とし、他端を手先部とする帯本体と、この帯本体の垂れ部側を折り合わせを解いて展開させるようにし、同帯本体の折り合わせ部分と展開部分が直角状となるように折りたたみ、この折りたたみ部分に同帯本体の垂れ部側と折り合わせ部分側が直角状態を保持するように装着させる保持具と、を備えてなる着物用帯装置が提案されている（例えば特許文献２）。
【０００６】
以上のような補助具及び装置においては、予め帯結びを形成した後で、着衣者の胴部に帯を締めるものであるので、帯結びを形成する作業までは畳上や卓上等での作業とすることができ、身体の固い人や着物の着付け初心者であっても比較的容易に帯を締めることができる。
【特許文献１】特開２００６−１４４１５１号公報
【特許文献２】特開平９−３０２５１２号公報
【発明の開示】
【発明が解決しようとする課題】
【０００７】
しかし、上述の補助具や装置は、いずれも簡単に所望の帯結びを形成することはできるものの、帯が十分に固定されておらず、すぐに帯締め等で固定する必要がある。また、帯の手先部分の処理が複雑なる場合や、従来の帯に所定の部材を縫合しなければならない場合も多い。
【０００８】
そこで、本発明は、予め帯結びを形成した状態で保持して、運搬することが可能であり、極めて容易に帯を着衣者の胴回りに締めることができる帯の着付け補助具を提供することを目的とする。
【課題を解決するための手段】
【０００９】
上記目的を達成するための請求項１に記載の帯の着付け補助具は、帯のたれと手の境界部分を直角方向に曲げ、且つ、前記たれを用いて形成される帯結びを係止し、更に、前記手の手先部分を固定する扁平板と、該扁平板の両側に固定されて互いの先端が固着自在な一対のベルトと、前記たれと手との中間付近の折り返し位置に取付けられる帯止め具と、該帯止め具を係止する前記扁平板又はベルトに設けた固定具と、を具備するを特徴とするものである。
【００１０】
請求項２に記載の帯の着付け補助具は、請求項１に記載の帯の着付け補助具であって、前記扁平板が、帯の手を挿通可能な通し穴、該通し穴に挿通された手を前記帯のたれと手との境界部分近傍で係止する固定具、前記通し穴に挿通された手の手先部分を固定する手先固定具とを具備することを特徴とするものである。
【００１１】
請求項３に記載の帯の着付け補助具は、請求項１又は請求項２に記載の帯の着付け補助具であって、前記扁平板に、前記帯結びを係止するための帯枕を着脱自在に設けたことを特徴とするものである。
【００１２】
請求項４に記載の帯の着付け補助具は、請求項２又は請求項３に記載の帯の着付け補助具であって、前記固定具が複数形成されることを特徴とするものである。
【発明の効果】
【００１３】
請求項１に記載の帯の着付け補助具によると、扁平板により帯のたれと手との境界は直角に曲げられ、且つ、たれを用いて形成される帯結びが係止される。さらに、扁平板により手の手先部分は固定される。扁平板の両側には一対のベルトが固定されており、この一対のベルトの先端は互いに固着自在に形成されている。また、帯の手の中間付近で帯の手を折り返す位置に帯止め具は取付けられる。そして、扁平板又はベルトに設けられた固定具により、帯止め具は係止される。このように構成されることで、予め帯結びを係止した扁平板を着衣者の背中に当接させて、一対のベルトを着衣者の胴回りに回すことで、帯結びを着衣者の背中に固定することができる。さらに帯止め具を固定具に係止することで、帯の手部分を着衣者の胴回りに固定することができる。したがって、予め所望の美しい帯結びを形成した後に帯を着衣者に着付けることとなるので、着衣者が無理な姿勢を取ることなく、極めて容易に美しい帯結びを形成した帯を一人で着付けることができる。
【００１４】
なお、請求項１に記載の帯の着付け補助具によると、固定具は扁平板又はベルトに設けられる。例えば、お太鼓結びや二重太鼓結びのように着衣者の背中にお太鼓を形成する帯結びを行うときには、固定具を扁平板に設けることでお太鼓の内部に固定具と固定具に係止される固定具とを隠すことができる。また、例えば蝶重ね、都結び、及び文庫結び等のお太鼓を形成しない帯結びを行うときには、固定具を着衣者が着衣した時に脇の部分に位置することになるベルトに設けることで、固定具及び固定具に係止される固定具を着物の袂に隠された目立たない位置に配置することができる。
【００１５】
請求項２に記載の帯の着付け補助具によると、扁平板に形成された通し穴に帯を手先から挿入し、帯の手部分全体を挿通した後、固定具により帯のたれと手との境界部分で帯の手を係止する。このようにすることで、帯の手とたれとの境界が崩れて帯結びの形状が崩れることを防ぐことができる。また、手先固定具により帯の手先部分は固定される。このように、帯のたれと手との境界部分及び帯の手の先端である手先部分を固定することで、帯の手が強固に固定されることとなる。したがって、帯結びを予め形成した状態で帯結びが崩れず、手が強固に固定された状態で帯を運搬することができる。したがって、予め帯結びを形成した帯を外出先で極めて簡単に着付けることができる。また、上述のように固定されることで、帯を着付けた後に帯結びの形が崩れることを防ぐことができる。
【００１６】
請求項３の帯の着付け補助具によると、扁平板に帯枕が着脱自在に構成されているので、太鼓結びや二重太鼓結びといった帯枕が必要な帯結びを形成するときには、扁平板に帯枕を係着した状態で帯結びを結ぶことができるとともに、蝶重ね、都結び、及び文庫結び等の帯枕を必要としない帯結びのときには、扁平板に帯枕が離脱した状態で帯結びを結ぶことができる。また、帯結びの種類や体型に合わせて、大きさや形状の異なる帯枕を用いることができる。
【００１７】
請求項４の帯の着付け補助具によると、固定具は複数形成されるので、帯のたれと手との境界を係止する固定具を変えることで、帯の手の長さを調節することができる。
【発明を実施するための最良の形態】
【００１８】
以下、本発明の実施形態について、図面を参照しつつ説明する。
【００１９】
まず、本発明に係る帯の着付け補助具１の構成について、図１から図４を参照しつつ説明する。帯の着付け補助具１は、図１に示す扁平板２、一対のベルト３、及び帯枕４を有する補助具本体１０と図４に示す帯止め具５とからなる。そして、扁平板２は、平板２１と通し穴２２と手先固定部２３と補助穴２４と支持部材２４１及び２４２と右係止具２５１と左係止具２５２と固定具２６と凹型スナップボタン２７とを備え、一対のベルト３は扁平板２と反対側の端部に互いに係着可能な面ファスナ３１、３２が備わる。また、帯枕４は帯枕本体４１と凹型スナップボタン２７と係着する凸型スナップボタン４２が備わる。なお、図４に示すように、帯止め具５には引掛け部５１と帯固定バー５２とが備わる。
【００２０】
図２に示すように、扁平板２は例えば硬質合成樹脂、軽金属、木質板等を素材とする平板２１にスリット状の通し穴２２と、スリット状に形成され内部に帯６を係着できるローラ２３１を有する手先固定部２３と、スリット状の補助穴２４とが、列設されている。この通し穴２２は平板２１の左右方向の略中心に配置され、通し穴２２の左に手先固定部２３が設けられ、通し穴２２の右に補助穴２４が設けられている。
【００２１】
扁平板２の平板２１の上端には支持部材２４１が、下端には支持部材２４２がそれぞれ固定されている。また、支持部材２４１には両端を半円形とする長手形状の開口２４１ａ、２４１ｂが設けられ、支持部材２４２には両端を半円形とする長手形状の開口２４２ａ、２４２ｂが設けられている。そして、支持部材２４１の開口２４１ａと支持部材２４２の開口２４２ａとには、２本の円柱２５１ａ、２５１ｂからなる右係止具２５１が両開口２４１ａ、及び２４２ａに架けるように挿入されている。また、支持部材２４１の開口２４１ｂと支持部材２４２の開口２４２ｂとにも同様に円柱２５２ａ、２５２ｂからなる左係止具２５２が挿入される。そして、この両係止具２５１、２５２のそれぞれ２本の円柱２５１ａ、２５１ｂ、２５２ａ及び２５２ｂは挿入された開口２４１ａ、２４１ｂ、２４２ａ、２４２ｂをそれぞれ左右にスライド可能な構成となっている。また、支持部材２４１、２４２は扁平板２の左端側で円柱棒形状の固定具２６を支持している。
【００２２】
なお、本実施形態において、上下及び左右は、帯の着付け補助具１を装着したときに、着衣者から見て、それぞれ上下左右方向となる方向をいう。
【００２３】
帯枕４は、例えばウレタンや発砲プラスチック等の弾性素材からなり、図３に示すように、扁平板２の上縁に突出した形状であり、帯枕本体４１の下端に複数固定されている凸型スナップボタン４２と扁平板２の上端に固定されている複数の凹型スナップボタン２７とにより扁平板２から着脱自在に構成されている。なお、帯枕４の形状は本実施形態においては、お太鼓の帯結びを形成する形状のものを用いているがこれに限られるものではなく、着衣者の身長や帯結びの形状に合わせて、種々の形状の帯枕４を用いることができる。例えば、帯結びの形状を角だし結びとするときには、帯枕４の形状を直径約３センチメートルで、長さ約２０センチメートルの円筒形状のものを用いることができる。帯枕４は、扁平板２に着脱自在であるので、帯枕４を用いない一文字結びなどの帯結びを形成する時には、帯枕４を取り外して使用し、帯枕４を使用する文庫結び、角だし結び、太鼓結び等の場合はそれぞれの結び方にあった形状の帯枕４を取付けて使用することができる。
【００２４】
図４に示すように、帯止め具５は、引掛け部５１を両端に備え、その引掛け部５１、５１の間に２本の帯固定バー５２を備えて構成される。引掛け部５１は前述の固定具２６に引掛けることができる形状であり、２本の帯固定バー５２は帯幅の半分程度の長さを有している。そして、この２本の帯固定バー５２の間の間隔は、二つ折りにした帯の厚み以上の間隔であり、両帯固定バー５２、５２の間に後述する帯６の手６２を挿入することができる。
【００２５】
次に、以上のように構成される帯６の着付け補助具１を用いて帯６を着付ける手順について説明する。なお、本実施形態においては、帯６は模様の付いた表生地に無地の裏生地を縫い合わせた袋帯を用いるが、本発明の実施形態はこれに限られるものではない。例えば、帯全体の生地を二つ折りして縫い合わせた丸帯、胴に巻く部分の帯幅を帯結び部分の帯幅の半分に仕立てた名古屋帯などの通常用いられるあらゆる帯を適用することができる。
【００２６】
まず、図５に示すように、帯６を幅方向の中心に沿うように二つ折りし、一方側は展開してたれ６１を形成し、他方側は二つ折りのまま手６２を形成する。ここで、たれ６１と手６２とは略直角となるように帯６を折り曲げる。なお、このように折り曲げた部分は、帯６のたれ６１と手６２との境界部分６６となる。次に、手先６３を扁平板２の裏側から通し穴２２に挿入し、帯６のうち手６２部分全体を通し穴２２に通す。このように帯６の手６２全体を通し穴２２に通すことで、通し穴２２に帯のたれ６１と手６２との境界部分６６が位置することとなる。そして、このとき図６に示すようにたれ６１は帯枕４の裏側から上向きに突出するようにする。なお、通し穴２２は、平板２１の左右方向の略中央に位置するので、たれ６１が上向きに突出したときに、たれ６１の幅方向の中心線は平板２１の左右方向の略中央に位置することとなる。したがって、後述のようにお太鼓を形成する際に、左右に歪まず美しいお太鼓を形成することができる。
【００２７】
なお、境界部分６６は帯６のたれ６１と手６２との境界であり、帯６を直角に折り曲げてたれ６１と手６２とに分けたときに折れ曲がった部分をいい、本実施形態においては、通し穴２２から右係止具２５１又は左係止具２５２に係止されるまでの間に位置する帯６部分を含むものである。
【００２８】
次に、二つ折りにして通し穴２２を通した帯の手先６３を二つ折りのまま右係止具２５１の２本の円柱２５１ａ、２５１ｂの外周をＳ字を描くように通す。すなわち、支持部材２４１の開口２４１ａ及び支持部材２４２の開口２４２ａに挿入された右係止具２５１の右側の円柱２５１ａのさらに右側、円柱２５１ａと円柱２５１ｂとの間、左側の円柱２５１ｂのさらに左側の順で帯６の手先６３を通し、そしてさらに帯６の手先６３を右側に引っ張る。このようにすると、右側の円柱２５１ａは、開口２４１ａ及び２４２ａの右端で係止され、左側の円柱２５１ｂは帯６の手先６３を右側に引っ張る力により帯６の手６２を間に挟んで、右係止具２５１に固着する。すなわち、帯６のたれ６１と手６２との境界の帯６の手６２部分が、左右の円柱２５１ａと２５１ｂとに挟まれて固定される。
【００２９】
なお、本実施形態では、係止具を右係止具２５１と左係止具２５２との２つ列設する構成をとっている。このように構成することで、帯６の手６２を固定する左右係止具２５１、２５２を選択することができ、帯６の手６２の長さを細かく調節することができる。すなわち、上述のように帯６の手６２を右係止具２５１に固定することもできるが、帯６の手６２を左係止具２５２の２本の円柱２５２ａ及び２５２ｂの外周をＳ字を描くように通すこともできる。胴回りが長い着衣者が着衣する時には、帯６の手６２を右係止具２５１に固定することで左係止具２５２に固定するときに比べて帯６の手６２を長く着衣者に巻くことができる。一方、胴回りが短い着衣者が着衣する時には、帯６の手６２を左係止具２５２に固定することで、右係止具２５１に固定する時よりも帯６の手６２を短く着衣者に巻くことができる。なお、本実施形態において係止具の数は左右２つのものについて、説明したがこれに限定されるものではなく、係止具の数が１又は複数あればよい。
【００３０】
そして、次に、帯６の手先６３を帯止め具５の２本の帯固定バー５２の間に通して、帯止め具５を帯６の手６２の中間部に配置する。そして、帯６の手６２を帯止め具５の帯固定バー５２に引掛けて折り返す。言い換えると、帯６の手６２の折り返し位置に帯止め具５を配置する。そして、折り返された帯６の手先６３を更に、扁平板２の表側から補助穴２４に通し、更に扁平板２の裏側から手先固定部２３に通す。手先固定部２３は例えばローラベルトのバックル構造のように、挿入された帯６の手６２を挿入方向と逆方向に引くと、ローラ２３１が帯６の手６２を押圧して帯を固定する。なお、ここで帯６の手６２のうち手先固定部２３に固定する部分は、右係止具２５１又は左係止具２５２により帯６の手６２を固定した部分から着衣者の胴回りの長さの２倍分、帯６の手先６３側の位置を固定する。なお、手６２の手先固定部２３に固定された位置から手先６３までの部分は、後述するお太鼓６５の内側で折り返して処理できる。
【００３１】
なお、上述の作業は着衣者に帯の着付け補助具１を取り付ける前に行われるものである。また、帯の着付け補助具１を着衣者に取付けるときには、帯６の手６２の中間部に配置した帯止め金具５を固定具２６に引掛けて固定する。
【００３２】
以上のように、右係止具２５１又は左係止具２５２と手先固定部２３とで帯６の手６２の部分を固定することで、着衣者の胴回りに巻く帯６の手６２の長さが固定されるので、着衣する時に極めて簡単に帯６を胴回りに固定することができる。
【００３３】
次に、図８に示すように、帯６のたれ６１部分を帯枕４の後ろ側から前側に垂らし、所望の帯結びの形状に整えた後、図示しないクリップなどで帯６のたれ６１と扁平板２の平板２１とを挟持して固定する。すなわち、帯６のたれ６１を帯枕４の外周に沿うように垂らし、更に帯６のたれ６１を扁平板２の下方近辺で内側に折込んでお太鼓６５を形成し、その後お太鼓６５内部から、たれ先６４を垂らす。そして、クリップ等の挟持部材を用いて扁平板２の平板２１の左右上方と左右下方の４箇所で帯６のたれ６１と平板２１とを挟持することでお太鼓６５を固定する。このとき、帯６の手６２のうち手先固定部に固定された部分から手先６３までの部分はお太鼓６５の内部に収納されるように、左右方向に数回折り曲げる。これにより、お太鼓内部で手先部分が膨らんで、より自然な形のお太鼓を形成できる。なお、図８では、説明の便宜上、帯６のたれ６１と帯枕４との間に空間を設けているが、実際には帯６のたれ６１は、帯枕４に上方からかぶさるようにほぼ密着する。また、帯６の手６２部分の記載を省略しているが、実際には帯６のたれ６１部分と扁平板２との間に帯６の手６２部分が折りたたまれている。
【００３４】
以上のように形成したお太鼓６５付きの帯６を着衣者に固定するときには、図８及び図９に示すように、まず、帯枕４１に帯揚げ７１をかぶせるとともに、帯締め７２をお太鼓６５内部に通す。なお、帯揚げ７１は帯枕４１にかぶせるだけではなく、例えば帯枕４１を凹型スナップボタン２７と凸型スナップボタン４２との間に挟んで固定しても良い。このようにすることで、帯揚げ７１の位置が確実に固定され、より容易に美しい帯の着付けを行うことができる。また、帯締め７２をお太鼓６５内部に通すだけでなく、帯枕４１又は扁平板２に固定できる構成としても良い。例えば、帯枕４１に１又は複数の環状の金具を有する紐を固定し、この環状の金具に帯締め７２を通すことで帯締めを帯枕４１の下方の所定の位置に固定させるものであっても良い。なお、この場合、複数の環状の金具が上下に連結されることで、帯締めを通す金具を選択することで帯締めの高さを調節することができる。次に、図１０に示すように、帯の着付け補助具１の一対のベルト３を着衣者の胴回りに巻いて、ベルト３の両端に形成された面ファスナ３１と面ファスナ３２とを係合させることで、帯６のお太鼓６５を着衣者の背中に固定する。そして、図１１に示すように帯６の手６２を着衣者の胴回りに巻いて、固定具２６に帯止め具５を固定する。すなわち、帯止め具５の引っかかり部５１を固定具２６に引掛けて固定する。このとき、固定具２６はお太鼓の内部に位置しているので、帯止め具５を固定具２６に固定した部分が外部から見えず、自然な着姿となる。
【００３５】
なお、本発明は上述の実施形態に限定されるものではなく、本発明の技術的思想を逸脱しない範囲における種々の変形例、設計変更などをその技術的範囲内に包含するものであることは云うまでもない。
【００３６】
例えば、図２に示すように固定具２６を平板２１に固定するのではなく、図１２に示すように固定具２６ａをベルト３の着衣時に着衣者の胴体と腕との間に位置する部分に固定する構成であっても良い。また、図４に示すように帯止め具５の引掛け部５１を帯固定バー５２の両端に設けるものとせずに、図１３に示すように帯止め具５ａの引掛け部５１ａを帯固定バー５２ｂの中間部に設ける構成としても良い。なお、図１２、図１３、及び図１４の構成のうち同一の前述の実施形態と同一の構造のものは同一の符号を付して説明を省略する。
【００３７】
図１２に示すように、固定具２６ａは、ベルト３の幅方向を長手方向とする円柱形状の部材である第１係止バー２６ｂと、第２係止バー２６ｃとからなる。第１係止バー２６ｂは、第２係止バー２６ｃよりも若干扁平板２寄りに位置し、ベルト３との間に二つ折りにした帯６の手６２を挿入可能な間隙を開けた状態で、ベルト３から延びる一対の支持体２６ｄに両端を支持されている。また第２係止バー２６ｃは、ベルト３との間の間隙を第１係止バー２６ｂとベルト３との間の間隙よりもやや開いた状態で、支持体２６ｄに両端を支持されている。
【００３８】
そして、図１３に示すように、帯止め具５ａは、長尺の帯固定バー５２ａと、帯固定バー５２ａから帯６の手６２を挿入できる間隙を開けて配置される短尺の帯固定バー５２ｂと、両帯固定バー５２ａ、５２ｂの端部を固定する一対の固定部５２ｃと、短尺の帯固定バー５２ｂの中間部に取付けられた上述の第１係止バー２６ｂに引っ掛かる形状の引掛け部５１ａと、を有している。
【００３９】
以上のように構成される固定具２６ａ及び帯止め具５ａを用いると、図１４に示すように、帯６の手先６３を右係止具２５１又は左係止具２５２に挿入し、帯止め具５ａの２本の帯固定バー５２ａ、５２ｂの間に通したあと、更に平板２１の補助穴２４、通し穴２２に通す。そして通し穴２２を通った帯６の手先６３を固定具２６ａの第２係止バー２６ｃに巻いて、更に、手先固定部２３に通して固定する。以上のようにして形成した帯６の手６２を着衣者の胴部に回して、固定具２６ａの第１係止バー２６ｂに帯止め具５ａの引掛け具５１ａを引掛けて固定する。なお、扁平板２付近に位置する帯６のたれ６１と帯６の手先６３とを結んで帯結びを形成することができる。
【００４０】
上述のようにすることで、固定具２６ａ及び帯止め具５ａはその殆どの部分が帯６の手６２に隠されて目立たない。固定具２６ａの位置を着衣者の脇の部分とすることで、着物の袖に隠れるので、固定具２６ａと帯止め具５ａとが固定した部分が目立たず、例えば一文字締めのように内部に帯止め具５を固定具２６に固定した部分を内包することができない場合にも、本発明の帯の着付け補助具１を用いることができる。
【産業上の利用可能性】
【００４１】
本発明に係る帯の着付け補助具１は、初心者の帯の着付け作業や出先での帯の着付け作業に好適に用いることができる。
【図面の簡単な説明】
【００４２】
【図１】扁平板２、ベルト３、及び帯枕４の構成を示す正面図である。
【図２】扁平板２の構成を説明する拡大斜視図である。
【図３】帯枕４の構成を説明する扁平板２の裏面から見た正面図である。
【図４】帯止め具５の構成を示す斜視図である。
【図５】通し穴２２に帯６の手先６３を挿入した状態を示す図である。
【図６】通し穴２２に帯６の手６２全体を挿入した状態を占めす図である。
【図７】帯６の手６２を帯の着付け補助具１に固定した状態を説明する簡略説明図である。
【図８】帯６のたれ６１を帯の着付け補助具１を用いて、お太鼓６５にした状態の簡略説明図である。
【図９】お太鼓６５を形成し、手先６３を固定した状態の帯及び帯の着付け補助具１を示す斜視図である。
【図１０】帯の着付け補助具１を用いて着衣者に帯を取付ける作業を説明する着衣者正面から見た図である。
【図１１】帯の着付け補助具１を用いて着衣者に帯を取付ける作業を説明する着衣者背面から見た図である。
【図１２】固定具２６ａをベルト３の着衣者の脇に位置する部分に固定した実施形態を示す斜視図である。
【図１３】帯止め具５ａの構成を示す斜視図である。
【図１４】固定具２６ａをベルト３の着衣者の脇に位置する部分に固定したときに、帯６の手６２を帯の着付け補助具１に固定した状態を説明する簡略説明図である。
【符号の説明】
【００４３】
１  帯の着付け補助具
２  扁平板
３  ベルト
４  帯枕
５、５ａ  帯止め具
６  帯
２２  通し穴
２３  手先固定部
２６、２６ａ  固定具
２５１  右係止具
２５２  左係止具
６６  境界部分
６７  折り返し位置
【図１】
2008156794.tif 000003
【図２】
2008156794.tif 000004
【図３】
2008156794.tif 000005
【図４】
2008156794.tif 000006
【図５】
2008156794.tif 000007
【図６】
2008156794.tif 000008
【図７】
2008156794.tif 000009
【図８】
2008156794.tif 000010
【図９】
2008156794.tif 000011
【図１０】
2008156794.tif 000012
【図１１】
2008156794.tif 000013
【図１２】
2008156794.tif 000014
【図１３】
2008156794.tif 000015
【図１４】
2008156794.tif 000016